(57)【特許請求の範囲】
【請求項１】
胴部と底部とからなり、開口部周縁が外側にカールした口縁部を有し、胴部と底部の接合部に環状脚部を形成させた紙カップ本体と、紙カップ本体の胴部外側に嵌め込まれる紙製筒体とから構成される紙製断熱カップであって、紙製筒体の下部は、断面形状が逆Ｎ字状に曲げられた折り曲げ部が、紙製筒体を紙カップ本体に嵌め込んだ際環状脚部が隠れるように形成させ、該筒体を紙カップ本体の胴部に嵌め込み、折り曲げ部を形成させた紙製筒体の先端部分は紙カップ本体胴部の下縁の環状脚部の外面に固定され、筒体の上端は胴部の口縁部の下縁に接触して固定され、紙カップ本体胴部と紙製筒体の間に断熱空間層を設けたことを特徴とする紙製断熱カップ。
【請求項２】
前記紙製筒体の上部に、内方に折り曲げた折り込み部を形成させたことを特徴とする、請求項１記載の紙製断熱カップ。
【発明の詳細な説明】
【０００１】
【発明の属する技術分野】
本発明は、即席麺などを収容する紙製の断熱カップに関し、特には、熱湯を注いでそのまま飲食することの可能ないわゆるインスタント食品やインスタント飲料用の紙カップ本体と紙製筒体とから構成される紙製の断熱カップに関する。
【０００２】
【従来の技術】
従来、即席麺などの収容物に熱湯を注いで食する断熱性容器としては、例えば、発泡ポリスチレン樹脂などを成形したプラスチック容器、耐水加工した紙カップ本体の周壁の外側に波状紙を貼着し、さらに、波状紙の上から薄紙を貼着して空気断熱層を形成させた紙容器などが知られている。
【０００３】
ところが、材質に発泡プラスチック樹脂を使用する容器は断熱性には優れているものの、燃焼カロリーが高く、焼却、廃棄上の問題があり、さらには消費者の環境意識の高まりに伴う消費行動の変化により発泡樹脂に代わる易廃棄性、易燃焼性の容器が求められている。
【０００４】
また、紙カップに波状紙や薄紙を巻き付け貼着して空気断熱層を形成させた紙容器は、断熱性に問題ないものの、接着剤を使用しているために糊付け工程が必要になる。
【０００５】
これらの問題を解決した断熱容器として、例えば、特開２０００−３２６９５１号公報に開示された発明がある。
【０００６】
この発明は、図５に示すように、紙製筒体（１２０）の下部は、内方へ曲がる彎曲部（１２１）が成形され、筒体を紙カップ本体（１１０）の胴部（１１１）に嵌め込み、彎曲部を形成させた筒体（１２０）の下端は紙カップ本体胴部の下縁の環状脚部（１１４）の外面に固定され、筒体の上端は胴部の口縁部（１１３）の下端に接触して固定され、紙カップ本体胴部（１１１）と紙製筒体（１２０）の間に断熱空間層（１３０）を設けたことを特徴とするものである。
【０００７】
このように、接着剤を使用せずに断熱空間層を設けたので、断熱効果に問題はないものの、紙製筒体を加圧およびまたは加熱加圧により彎曲部（１２１）を形成させているため、彎曲部（１２１）の下端が絞られて放射状にしわが発生し、見栄えが良くないという問題がある。
【０００８】
【発明が解決しようとする課題】
本発明は、紙カップ本体と、紙カップ本体の胴部外側に嵌め込まれる紙製筒体とから構成される紙製断熱カップに関する以上のような問題点を解決するためになされたもので、外から見て見栄えの良い紙製断熱カップを提供することを課題とする。
【０００９】
【課題を解決するための手段】
本発明の請求項１の発明は、胴部と底部とからなり、開口部周縁が外側にカールした口縁部を有し、胴部と底部の接合部に環状脚部を形成させた紙カップ本体と、紙カップ本体の胴部外側に嵌め込まれる紙製筒体とから構成される紙製断熱カップであって、紙製筒体の下部は、断面形状が逆Ｎ字状に曲げられた折り曲げ部が、紙製筒体を紙カップ本体に嵌め込んだ際環状脚部が隠れるように形成させ、該筒体を紙カップ本体の胴部に嵌め込み、折り曲げ部を形成させた紙製筒体の先端部分は紙カップ本体胴部の下縁の環状脚部の外面に固定され、筒体の上端は胴部の口縁部の下縁に接触して固定され、紙カップ本体胴部と紙製筒体の間に断熱空間層を設けたことを特徴とする紙製断熱カップである。
【００１０】
このように請求項１記載の発明によれば、紙製筒体の下部には、断面形状が逆Ｎ字状に曲げられた折り曲げ部が、紙製筒体を紙カップ本体に嵌め込んだ際環状脚部が隠れるように形成させているので、放射状のシワがなく、外から見て見栄えの良い紙製断熱カップである。
【００１３】
また、請求項２の発明は、請求項１の発明において、前記紙製筒体の上部に、内方に折り曲げた折り込み部を形成させたことを特徴とする、紙製断熱カップである。
【００１４】
このように請求項２記載の発明によれば、紙製筒体の上部に、内方に折り曲げた折り込み部を形成させることにより、紙カップ本体胴部と紙製筒体の間の断熱空間層を厚くすることができる。
【００１５】
【発明の実施の形態】
本発明の紙製断熱カップを一実施形態に基づいて以下に詳細に説明する。
本発明の紙製断熱カップは、例えば、図１に示すように、胴部（１１）と底部（１２）とからなり、開口部周縁が外側にカールした口縁部（１３）を有し、胴部と底部の接合部に環状脚部（１４）を形成させた紙カップ本体（１０）と、紙カップ本体の胴部外側に嵌め込まれる紙製筒体（２０）とから構成される紙製断熱カップ（１）である。
【００１６】
そして、紙製筒体（２０）の下部には、断面形状が逆Ｎ字状に曲げられた折り曲げ部（２１）が形成されている。
【００１７】
紙カップ本体（１０）は、胴部（１１）を形成する胴部材、底部（１２）を形成する底部材とも、坪量が１７０〜３１０ｇ／ｍ2 程度のカップ原紙の両面、又は片面に低密度ポリエチレン樹脂を２０〜４０μｍ程度塗布したポリエチレン加工紙を一般的な紙カップ成形機を使用して作製することができる。
【００１８】
紙製筒体（２０）は、坪量が２５０〜３８０ｇ／ｍ2 程度のコートボール、白ライナー、カップ原紙等の板紙を素材として、紙カップ本体の胴部を覆う大きさの所定寸法の略扇形に打ち抜き、紙製筒地ブランクを作製する。
なお、カップ原紙を使用すると、パルプが伸び易く、成形性に富むので後記する折り曲げ部（２１）が成形し易い。
【００１９】
ついで、紙製筒体ブランクの両端を重ね合わせ、例えば、エチレン・酢酸ビニール樹脂系のエマルジョン型接着剤を介在させて接着させ、筒状に加工する。
【００２０】
筒状に加工された筒体を雄雌型を使用して加圧およびまたは加熱加圧成形して筒体の下部に、断面形状が逆Ｎ字状に曲げられた折り曲げ部（２１）を有する紙製筒体（２０）とする。
なお、この折り曲げ部（２１）は、紙製筒体を紙カップ本体に嵌め込んだ際環状脚部が隠れるように形成させる必要がある。このことにより、紙カップを外から見た際、外観が綺麗に見える。
【００２１】
断面形状が逆Ｎ字状の折り曲げ部（２１）の詳細な作製方法を述べるならば、例えば、図３に示すように、先ず、底面周縁が逆Ｎ字状に加工されたマンドレル（ＮＭ）に紙製筒体（２０）を嵌め込み、内折り込み型（Ｕ）を回転させながらマンドレル（ＮＭ）に押しつける。このことにより、紙製筒体（２０）の底部周縁を内方にくせおりする（図３（ａ）参照）。
【００２２】
つぎのユニットでは、底成形雌型（Ｓ）をマンドレル（ＮＭ）の底部に回転させながら押しつけ、紙製筒体の下端周縁を逆Ｎ字状に仕上げる（図３（ｂ）参照）。
【００２３】
また、つぎのユニットで、下端周縁が逆Ｎ字状に形成された紙製筒体（２０）をマンドレル（ＮＭ）から引き抜き、筒体受け型（ＴＵ）に嵌め込み、トップインカール型（ＴＩ）を回転させながら紙製筒体の上端周縁に押しつけ、紙製筒体の上端周縁を内側に折り込む（図３（ｃ）、図３（ｄ）参照）。
【００２４】
最後のユニットでは、カールかしめ型（Ｋ）で紙製筒体の上端縁を押さえて固定し、成形加工を施した紙製筒体とする。（図３（ｅ）参照）。
【００２５】
この紙製筒体の上部は、図３（ａ）〜（ｅ）に示すように、内方に折り曲げた折り込み部（２４）を形成させても良い。
このための余白をあらかじめ紙製筒体のブランクに設定しておく必要があることはいうまでもない。
また、各型は必要に応じて加熱してある。
【００２６】
紙製筒体（２０）の紙カップ本体（１０）への嵌め込みは、例えば、つぎのようにして行う。すなわち、紙カップ本体を底の方から紙製筒体の中に嵌め込み、紙製筒体（２０）の上端は紙カップ本体口縁部の下に接触させて固定し、あるいは、口縁部（１３）の下端の胴部外面に固定させ、紙製筒体の先端部分（２２）は、紙カップ本体胴部の下縁の環状脚部（１４）の外面に固定され、紙製筒体の上端（２３）は胴部の口縁部（１３）の下縁に接触して固定させ、本発明の紙製断熱カップとする。なお、紙カップ本体胴部と紙製筒体の間には断熱空間層（３０）が設けられる。
【００２７】
紙製筒体と紙カップ本体の固定方法は、紙製筒体の上端と先端部分のどちらか一方または両方を紙カップ本体と、例えば、エチレン・酢酸ビニール共重合樹脂系のエマルジョン型接着剤で接着させる方法が確実である。
【００２８】
図２は、参考例の紙製断熱カップを示す部分断面説明図である。図２は、図１の紙製断熱カップのうち紙製筒体の折り曲げ部の形態を変えたものである。簡単に説明する。
【００２９】
すなわち、紙製筒体（４０）の下部に形成される環状脚部（１４）を隠す折り曲げ部（４１）が、逆Ｐ字状に形成されており、紙製筒体を紙カップ本体の胴部に嵌め込んだとき、逆Ｐ字状の折り曲げ部の中間部分（４３）が紙カップ本体の胴部外面に固定されると共に、逆Ｐ字状の折り曲げ部の先端部分（４２）は、紙製筒体の内面に接着されている紙製断熱カップ（２）である。
【００３０】
逆Ｐ字状の折り曲げ部（４１）の形成方法はつぎの通りである。
断面形状が逆Ｐ字状の折り曲げ部（４１）の詳細な作製方法を述べるならば、例えば、図４に示すように、先ず、マンドレル（Ｍ）に紙製筒体（２０）を嵌め込み、紙製筒体（２０）の下端（図４では上端）の内側周縁に接着剤（４５）をスプレー等で塗布する（図４（ａ）参照）。
【００３１】
つぎのユニットでは、トップインカール型（ＴＩ）を回転させながらマンドレル（Ｍ）の底部に押しつけ、紙製筒体（２０）の下周縁を内側に折り曲げる（図４（ｂ）参照）。
【００３２】
またつぎのユニットでは、外側ホルダ（ＳＨ）で紙製筒体（２０）の下側周縁を固定しながらシールジョー（ＳＪ）を紙製筒体（２０）の折り曲げた下部周縁の内側にあてがい、紙製筒体の下端を内方に押しつけ、加熱加圧して逆Ｐ字状の折り曲げ部（４１）を形成させる（図４（ｃ）参照）。
【００３３】
【発明の効果】
上記のように、本発明の紙製断熱カップは、紙製筒体の絞られてシワが発生してしまう部分を紙カップ本体と紙製筒体の間に折り込み露出しないように形成してあるので、印刷効果が上がり、美しくなる。
【図面の簡単な説明】
【図１】  本発明の紙製断熱カップの一実施例を示す、部分断面説明図である。
【図２】  参考例の紙製断熱カップを示す、部分断面説明図である。
【図３】  （ａ）〜（ｅ）は逆Ｎ字状の折り曲げ部の作製工程を模式的に示す、説明図である。
【図４】  （ａ）〜（ｃ）は逆Ｐ字状の折り曲げ部の作製工程を模式的に示す、説明図である。
【図５】  従来の紙製断熱カップの一例を示す、部分断面説明図である。
１、２‥‥紙製断熱カップ
１０‥‥紙カップ本体
１１‥‥胴部
１２‥‥底部
１３‥‥口縁部
１４‥‥環状脚部
２０‥‥紙製筒体
２１‥‥折り曲げ部
２２‥‥紙製筒体の先端部分
２３‥‥紙製筒体の上端
２４‥‥折り込み部
３０‥‥断熱空間層
４０‥‥紙製筒体
４１‥‥折り曲げ部
４２‥‥紙製筒体の先端部分
４３‥‥紙製筒体の中間部分
４５‥‥接着剤
１１０‥‥紙カップ本体
１１１‥‥胴部
１１３‥‥口縁部
１１４‥‥環状脚部
１２０‥‥紙製筒体
１２１‥‥彎曲部
１３０‥‥断熱空間層
ＮＭ‥‥逆Ｎ字状マンドレル
Ｕ‥‥内折り込み型
Ｓ‥‥底成形雌型
ＴＵ‥‥筒体受け型
ＴＩ‥‥トップインカール型
Ｋ‥‥かしめ型
Ｍ‥‥マンドレル
ＳＨ‥‥外側ホルダ
ＳＪ‥‥シールジョー
【図１】
0004135391.tif 000002
【図２】
0004135391.tif 000003
【図３】
0004135391.tif 000004
【図４】
0004135391.tif 000005
【図５】
0004135391.tif 000006